(57)【要約】【課題】従来の構成の炊飯器では、炊飯シーケンスにて、炊き上げ工程及びむらし工程において調理物に供給する熱量を多くし、お米のでんぷん化を促進し、炊飯性能を向上しようとした炊飯器の外蓋に金属製の化粧板を装着した外蓋の構成において、炊飯中に顧客が外蓋に手が触れたとしても、体感温度を低減できる炊飯器を提供する。【解決手段】着脱自在に収納する炊飯器本体と、前記炊飯器本体の開口部を開閉する外蓋と、前記鍋を加熱する加熱手段と、前記外蓋の外側に金属製の化粧板を装着し、前記外蓋と化粧板の間にはある一定寸法でなく場所により隙間が異なる空間を配設し、前記空間には格子を形成するリブを配設し、前記格子を形成するリブは少なくとも１箇所はリブがない形状で構成されたことを特徴とする。【選択図】図１
2006141427.tif 000002
【特許請求の範囲】
【請求項１】
鍋を着脱自在に収納する炊飯器本体と、前記鍋を加熱する加熱手段と、前記炊飯器本体の開口部を覆い開閉自在な外蓋と、前記外蓋の外側に設けられた金属製の化粧板と、前記外蓋と前記化粧板との間にその部位により異なる少なくとも２つの高さ寸法をもって形成される隙間空間と、前記隙間空間に設けられるとともに少なくとも１カ所が欠落した格子状のリブとを備えたことを特徴とする炊飯器。
【請求項２】
リブの天面と化粧板の間に断熱材を配設したことを特徴とする請求項１記載の炊飯器。
【請求項３】
化粧板外周端部に設けられた折り曲げ部と、外蓋に設けられ前記折り曲げ部と嵌合する溝部と、外蓋に設けられ前記溝部と隣接するとともに前記化粧板と当接するリブとを備えたことを特徴とする請求項１記載の炊飯器。
【請求項４】
外蓋の中央部設けられた隙間は、高さ寸法が機械固定前後で変動自在であることを特徴とする請求項１記載の炊飯器。
【請求項５】
化粧板の内外表面部に樹脂製の膜を配設したことを特徴とした請求項１記載の炊飯器。
【発明の詳細な説明】
【技術分野】
【０００１】
本発明は、炊飯器に関するものである。
【背景技術】
【０００２】
近年、外蓋に金属製の化粧板を装着している炊飯器が市場で広まっている。その金属製の化粧板を装着する背景として、商品性の向上（高級感）、防汚等がある。
【０００３】
一般に炊飯器は、鍋を収納する本体と、鍋の上面を覆う開閉自在の外蓋を備えているが、前記外蓋の外側表面部に金属製の化粧板を装着しており、このような外蓋を装着した炊飯器で炊飯を行うと、炊飯で発熱した鍋等の熱が外蓋へ放熱し、外蓋の外側表面の金属製の化粧板の温度が高くなり、この場合、樹脂製の外蓋に比べると、手が触れた時の体感温度が高く、火傷等を起こしやすいため、金属製の化粧板を装着した外蓋での炊飯器においては、樹脂製の外蓋に比べ、炊飯中の外蓋の温度の絶対値を低くしなければばらないことがあった。
【０００４】
特許文献１には、従来例の炊飯器が開示されている。従来例の炊飯器の金属製の化粧板を装着した外蓋の構成は、外側表面部の金属製の化粧板と樹脂製の外蓋は、０．５〜３ｍｍの均一の空間を設けた構成としている。
【特許文献１】特開２００２−４４３号公報
【発明の開示】
【発明が解決しようとする課題】
【０００５】
特許文献１に開示された従来例の炊飯器では、外蓋と金属製の化粧板の間には空間が形成されており、前記空間により、炊飯中に発熱した鍋からの放熱を抑えることができる構成となっているが、前記空間が０．５〜３ｍｍの均一であった場合、炊飯工程において、炊飯性能向上のため、炊き上げ工程及びむらし工程において調理物に供給する熱量を従来より多くしないといけない場合、鍋の温度は高くなり、その鍋の放熱により、外蓋を触った時に熱く感じるという問題があった。
【０００６】
また、前記樹脂製の外蓋と金属製の化粧板の装着において、外蓋の外周部には、嵌合部が配設されており、嵌合であると隙間が生じてしまうため、濡れふきんなどで外蓋をふいた場合、その隙間から外蓋内部に水が浸入してしまい外蓋内部の電気部品に付着した場合、電気的破損が発生する恐れがあるという問題があった。
【０００７】
さらに、前記外蓋において、外蓋が樹脂製で、かつ化粧板が金属製の構成であった場合、炊飯・保温中において、鍋からの放熱にて外蓋の温度は上昇していくわけだが、外蓋の樹脂製と化粧板の金属製において、線膨張係数の差により、冷熱時の変形寸法の差が生じてくる。そのため、冷熱の繰返しにより、前記線膨張係数の差により、初期は樹脂製の外蓋と金属製の化粧板が隙間なく固定されていたとしても、隙間が生じていき固定があまくなっていき、化粧板が外蓋から浮きでてくるといった問題もあった。
【０００８】
本発明は上記従来の課題を解決するもので、金属製の化粧板を装着した外蓋の構成において、炊飯工程において、炊き上げ工程及びむらし工程において調理物に供給する熱量を従来より多くし炊飯性能を向上しようとしたときに、炊飯中に顧客が外蓋に手が触れたとしても、体感温度を低減できる炊飯器を提供することをその目的とする。
【０００９】
また、外蓋と化粧板との嵌合部において隙間がない構成にて、水が外蓋内部に浸入しない炊飯器を提供することを目的とする。
【００１０】
また、金属製の化粧板が樹脂製の外蓋から浮くことがなく固定が確実になされている炊飯器を提供することを目的とする。
【課題を解決するための手段】
【００１１】
上記課題を解決するため、本発明は以下の構成を有する。
【００１２】
請求項１に記載の発明は、鍋を着脱自在に収納する炊飯器本体と、前記炊飯器本体の開口部を開閉する外蓋と、前記鍋を加熱する加熱手段と、前記外蓋の外側に金属製の化粧板を装着し、前記外蓋と化粧板の間にはある一定寸法でなく場所により隙間が異なる空間を配設し、前記空間には格子を形成するリブを配設し、前記格子を形成するリブは少なくとも１箇所はリブがない形状で構成されたことを特徴とする炊飯器である。
【００１３】
本発明によれば、外蓋と化粧板の間が各々異なる断熱空間になるので、例えば、前記断熱空間内にある格子Ａの高さ寸法は５ｍｍとし、別の格子Ｂの高さ寸法を１５ｍｍとした時に、炊飯中において前記格子Ａ内の雰囲気温度は、前記格子Ｂ内の雰囲気温度より高く、前記格子Ａの上部の化粧板の温度が熱く感じるため、各格子間の区切りのリブには切欠きを配設しており、前記切欠きにより、前記格子Ａ内の熱が前記格子Ｂ内に移動し、前記断熱空間内の全体の雰囲気温度を低減することができる。よって、前記断熱空間の上部の配設されている化粧板の温度が低減でき、前記断熱隙間内の高さ寸法が５ｍｍの一定寸法の構成に比べ低減することができる。よって、炊飯中に顧客が外蓋に手が触れたとしても、体感温度を低減できる炊飯器を提供することができるとともに、金属製の化粧板の温度の考慮なしで、炊飯性能を重視した炊飯シーケンスが作成できるため、炊飯性能を向上することができる。また、前記外蓋と化粧板の間には断熱空間があるために、前記化粧板を押さえると、化粧板はへこんでしまうが、前記格子を形成するリブを配設することで、化粧板を押さえたとしてもへこまない構成を提供することができる。
【００１４】
請求項２に記載の発明は、前記格子を形成するリブの天面と前記金属製の化粧板の間に断熱材を配設したことを特徴とした請求項１記載の炊飯器である。
【００１５】
本発明によれば、前記格子を形成するリブの天面と前記金属製の化粧板の間に断熱材を配設することにより、さらに一層、金属製の化粧板の温度をより低減することができ、炊飯中に顧客が外蓋に手が触れたとしても、体感温度をより低減することができ、請求項１記載の効果よりさらに温度に対する効果を向上することができる。
【００１６】
請求項３に記載の発明は、外蓋と外蓋の化粧板の嵌合部は、外蓋に溝を配設し外蓋の化粧板の折り曲げが、前記外蓋の溝に入り込み、前記溝の内周部にはリブを配設し、前記リブと外蓋の化粧板は当接させたことを特徴とした請求項１記載の炊飯器である。
【００１７】
本発明によれば、外蓋の溝の内周部のリブと金属製の化粧板を当設させる構成にすることにより、外蓋の外周部には隙間がなく、外蓋の上面から水がかかったとしても、外蓋内部に水が浸入する恐れはなく、電気的破損を回避することができる。
【００１８】
請求項４に記載の発明は、外蓋の中央部には、前記外蓋と外蓋の化粧板がネジ等の機械固定を配設し、前記外蓋と外蓋の化粧板を載置させた状態で、外蓋と外蓋の化粧板の間には、隙間を配設したことを特徴とした請求項１記載の炊飯器である。
【００１９】
本発明によれば、外蓋が樹脂製で、かつ化粧板が金属製の構成であった場合、炊飯・保温中において、鍋からの放熱にて外蓋の温度は上昇していくわけだが、外蓋の樹脂製と化粧板の金属製において線膨張係数の差があり冷熱時の寸法変化が生じ、外蓋の寸法変化は金属製の化粧板より多くなり、前記化粧板が外蓋から浮こうと作用が発生するが、本発明の構成にすることにより、前記化粧板の外周部は外蓋と当接し、化粧板の中央部は、前記外蓋を隙間を設けた状態にてネジ等の機械固定を配設することで、前記化粧板は、機械固定を行う前の形状と比較し、化粧板の外周部はそのままの位置で、中央部は初期形状から下方に移動した形状に変形し、化粧板の外周部は常に、外蓋下方に向かう力が作用することになる。よって、炊飯・保温の冷熱時において、外蓋と金属製の化粧板の線膨張係数の差による寸法変化の差を吸収し、前記金属製の化粧板は、外蓋から浮き出るのを防止することができる。
【００２０】
請求項５に記載の発明は、前記外蓋の化粧板の内外表面部に樹脂製の薄い膜を配設したことを特徴とした請求項１記載の炊飯器である。
【００２１】
本発明によれば、外蓋と外蓋の金属製の化粧板の外周嵌合部において、外蓋の溝の内周部のリブと金属製の化粧板を当設させる構成にすることにより、外蓋の外周部には隙間がなく、金属製の化粧板を押さえた時に、こすれ音が発生しやくなるが、金属製の化粧板の内外表面部に樹脂製の薄い膜を配設することにより、前記こすれ音が発生しない構成にすることができるのと、また、金属製の化粧板の防錆効果を発揮することができる。
【発明の効果】
【００２２】
本発明は、炊飯工程において、炊き上げ工程及びむらし工程において調理物に供給する熱量を多くし、米の糊化を促進し、炊飯性能を向上しようとした炊飯器の外蓋に金属製の化粧板を装着した外蓋の構成において、炊飯中に顧客が外蓋に手が触れたとしても、体感温度を低減できる炊飯器を提供することとまた、樹脂製の外蓋と金属製の化粧板の固定を経年変化を考慮し、金属製の化粧板が外蓋から浮かない構成の炊飯器の外蓋の構成を提供することができる。
【発明を実施するための最良の形態】
【００２３】
以下、本発明の実施をするための最良の形態を具体的に示した実施の形態について、図面とともに記載する。
【００２４】
（実施の形態１）
図１、図２、図３を用いて、本発明の実施の形態１の炊飯器を説明する。
【００２５】
図１は、本発明の実施の形態の炊飯器の縦断面図である。図面は、簡潔にするために、電気的接続のためのリード線等は省略している。図１において、１０は炊飯器本体で、１１は炊飯器本体の開口部を覆う外蓋である。１２は、前記炊飯器本体１０に着脱自在に収納することができる鍋であり、１３は前記鍋１２を電磁誘導加熱をするための加熱手段である。前記加熱手段１３に電流制御を行うのが加熱制御基板１４であり、１５は加熱制御基板１４を制御するための操作基板である。前記操作基板１５の上方には、炊飯器を操作するための操作パネル１６が配設されており、操作パネル１６のボタンを操作することで、前記操作基板１５を介し、加熱制御基板１４により前記加熱手段１３に電流が供給されることで、前記鍋１２が電磁誘導加熱され、鍋１２内の調理物が調理できるようになる。
【００２６】
次に、外蓋１１には、外蓋１１の外表面部には、金属製例えばステンレス等の材質の化粧板１７が配設されており、前記外蓋の下部には、前記鍋１２の上部を覆う内蓋１８が配設されている。前記内蓋１８は、外蓋１１から着脱自在の構成としており、お手入れ性を考慮した構成としている。また、前記内蓋１８には、鍋１２との密閉するための鍋パッキン１９を配設し、内蓋１８の中央部には、炊飯・保温中に発生する鍋１２内部の調理物からの蒸気とおねば（ご飯の汁）を放出する蒸気通路穴２０が配設されており、また、前記外蓋１１には、前記内蓋１８に配設された蒸気通路穴２０から放出された蒸気をおねばを通過するための蒸気通路２１が配設されている。前記外蓋の蒸気通路２１の最外部には、炊飯中に発生する蒸気とおねばを分離し、蒸気のみを外部へ放出するための蒸気筒２２を配設し、前記蒸気筒２２を着脱自在に収納するための凹部２３を化粧板１７に配設している。また、前記内蓋１８の上方部には、前記内蓋１８を加熱するための蓋ヒータ２４を配設し、前記蓋ヒータ２４は蓋放熱板２５に載置されている。前記蓋放熱板２５はアルミニウム等の熱放射性の高い材質により構成し、外蓋１１につめ２６等で固定されており、炊飯中の工程においては、前記蓋ヒータを加熱し、蓋放熱板２５の放熱により、前記鍋１２を覆う内蓋１８は発熱することができ、調理物の性能を引き出している。
【００２７】
次に、前記放熱板２５の上方部には、前記蓋ヒータ２４及び蓋放熱板２５の断熱を行うために、前記外蓋１１は、略平面部２７で形成されており、前記蓋放熱板２５と外蓋１１の略平面部２７とで形成された空間２８には、より断熱性能を向上させるため、蓋断熱材を配設している。また、前記外蓋１１の略平面部２７と前記外蓋１１の外表面部の金属製の化粧板１７の間には、断熱空間（隙間空間）２９が配設されている。この断熱空間２９の高さ寸法は、一定ではなく、場所により空間高さ寸法は変化させており、高さ寸法が確保できるところは、例えば１５ｍｍの設定にし、高さ寸法が確保できないところは、例えば５ｍｍの設定としている。
【００２８】
図２は、前記外蓋１１の断熱空間２９の略平面図であり、図２において、断熱空間２９には、数箇所の格子３０を形成するためのリブ３１を配設している。前記格子３０は、少なくとも１箇所は切欠き３２を配設し、例えば、格子３０−ａと格子３０−ｂの空間がつながるような構成としている。このような構成を断熱空間２９内に全て対応すると、格子３０はひとつの大きな空間に形成することができる。
【００２９】
このような構成において、炊飯・保温中において、鍋１２と蓋ヒータ２４と蓋放熱板２５の熱が外蓋１１の略平面部２７に蓄熱され、その熱が断熱空間２９を通り、金属製の化粧板１７の表面温度となるわけだが、炊飯性能を向上するために、ご飯の糊化を促進させるために、調理物に与える熱量を増やす必要があり、そのため、前記加熱コイル１３及び蓋ヒータ２４の通電量を増大させる必要があり、炊飯工程で通電量を多くしているが、その分、鍋１２と蓋ヒータ２４と蓋放熱板２５の温度が高くなり、金属製の化粧板１７の温度が５５℃を超えてしまい、化粧板１７を触ると熱く感じることがある。そのため、外蓋１１と化粧板１７の間の異なる断熱空間２９にすることにより、例えば、前記断熱空間２９内に格子３０−ａの高さ寸法は５ｍｍとし、前記断熱空間２９内に格子３０−ｂの高さ寸法を１５ｍｍとした時に、炊飯中において前記格子３０−ａ内の雰囲気温度は、前記格子３０−ｂ内の雰囲気温度より高く、前記格子３０−ａの上部の化粧板１７の温度は５５℃付近まで上昇するが、各格子間の区切りのリブ３１には切欠き３２を配設しており、前記切欠き３２により、前記格子３０−ａ内の熱が前記３０−ｂ内に移動し、前記断熱空間２９内の全体の雰囲気温度を低減することができる。よって、前記断熱空間２９の上部の配設されている化粧板の温度が低減できる。しかし、前記断熱隙間２９内の高さ寸法が隙間の少ない５ｍｍの一定寸法の設定で構成された外蓋は、化粧板の表面部の温度が高い温度で均一化されてしまう。よって、本発明の外蓋の構成にすることで、炊飯中に外蓋に手が触れたとしても、体感温度を低減できる炊飯器を提供することができるとともに、金属製の化粧板の温度の考慮なしで、炊飯性能を重視した炊飯ができるため、炊飯性能を向上することができる。また、外蓋と化粧板の間に断熱空間２９内に配設しているため、前記化粧板１７を外部から押さえるとへこんでしまうが、断熱空間２９に格子３０を形成するためのリブ３１を配設しているため、へこむことがなくなるが、へこみをなくすために、格子３０の縦・横寸法は、例えば２０ｍｍ以下が望ましい。
【００３０】
ここで、外蓋１１の加熱源は蓋ヒータ２４で、本発明の実施を説明しているが、蓋ヒータ２４は加熱コイルであっても同様の効果を得ることができる。
【００３１】
図３は、本発明の外蓋ユニットでの縦断面図である。図３での外蓋の構成は、上述での外蓋の構成と同様に、外蓋１１の略平面部２７と金属製の化粧板１７との間に断熱空間２９が配設されており、前記断熱空間２９には、格子３０を形成するためのリブ３１を配設している。ここでは、さらに前記金属製の化粧板１７とリブ３１の間には隙間３３を配設し、その隙間３３に熱伝導性の低い断熱材３４を配設している。この断熱材３４の材質は、シリコン発砲材等が良い。
【００３２】
このような構成でとることにより、上述での効果である、炊飯・保温中の化粧板１７の温度を上述での構成より低減させることができる。
【００３３】
（実施の形態２）
図４、図５を用いて、本発明の実施の形態２の炊飯器を説明する。
【００３４】
図４は、外蓋１１と化粧板１７の外周要部断面図である。図４において、４０は化粧板１７の外周折り曲げ部である。この外周折り曲げ部４０は化粧板１７の全周に配設されている。４１は、化粧板１７の外周折り曲げ部４０を収納する溝であり、前記外蓋１１の溝４１の内周部には、化粧板１７の内面と当接させたリブ４２が配設しており、隙間は０の状態となっている。また、化粧板１７の内外表面には、樹脂製の薄い膜４３を配設している。この樹脂製の薄い膜４３はシリコン系のものが蒸気に対しても強く良い。
【００３５】
このような構成にすることにより、外蓋に水がかかったとしても、外蓋１１と化粧板１７の嵌合部には、隙間がないため、水が外蓋１１内部に浸入してくることはないため、外蓋内部に配設されている蓋ヒータ２４などの電気部品に水が付着することがないため、電気的破損を回避することができる。また、外蓋１１と化粧板１７の外周嵌合部において、外蓋１１の溝４１の内周部のリブ４２と化粧板１７を当設させる構成にすることにより、外蓋の外周部には隙間がなく、化粧板１７を押さえた時に、こすれ音が発生しやくなるが、化粧板１７の内外表面部に樹脂製の薄い膜４３を配設することにより、前記こすれ音が発生しない構成にすることができるのと、また、化粧板１７の防錆効果を発揮することができる。
【００３６】
図５は、外蓋１１の中央要部断面図である。図５において、５０は外蓋１１と化粧板１７の間に設けた隙間である。また、５１は外蓋１１と化粧板１７とを機械固定するためのネジである。
【００３７】
このような構成にすることにより、前記ネジ５１により外蓋１１と化粧板１７とを機械固定をした時には、前記隙間５０は、ネジを締める時の締め代となる。また、化粧板１７の外周部は、上述のように外蓋１１のリブ４２により当接されているため、前記隙間５０により、前記化粧板１７は、機械固定を行う前の形状と比較し、化粧板１７の外周部はそのままの位置で、中央部は初期形状から下方に移動した形状に変形し、化粧板１７の外周部は常に、外蓋下方に向かう力が作用することになる。よって、炊飯・保温の冷熱時において、外蓋１１と化粧板１７の線膨張係数の差による寸法変化の差を吸収し、前記化粧板１７は、外蓋１１から浮き出るのを防止することができる。
【産業上の利用可能性】
【００３８】
本発明に係る炊飯器は、家庭用又は業務用の炊飯器として有用である。
【図面の簡単な説明】
【００３９】
【図１】本発明の実施の形態１における炊飯器の縦断面図
【図２】本発明の実施の形態１における外蓋の断熱空間の略平面図
【図３】本発明の実施の形態１における外蓋ユニットでの縦断面図
【図４】本発明の実施の形態２における外蓋の外周要部断面図
【図５】本発明の実施の形態２における外蓋の中心要部断面図
【符号の説明】
【００４０】
１０  炊飯器本体
１１  外蓋
１２  鍋
１３  加熱手段
１７  化粧板
２９  断熱空間（隙間空間）
３０  格子
３４  断熱材
４０  化粧板の折り曲げ部
４１  外蓋の溝
４２  外蓋の嵌合内周部の溝
４３  樹脂製の膜
５０  外蓋と化粧板の隙間
【図１】
2006141427.tif 000003
【図２】
2006141427.tif 000004
【図３】
2006141427.tif 000005
【図４】
2006141427.tif 000006
【図５】
2006141427.tif 000007